(57)【要約】  【課題】  医用画像とその付帯情報の重なりの確認操作を省略可能とする医用画像表示装置を提供する。  【解決手段】  本発明の医用画像表示装置110は、医用画像診断装置100によって計測された医用画像とその医用画像に関係する情報を表示するものであって、前記医用画像が複数得られた場合においてそれらの医用画像を順次表示するときのそれぞれの画像表示領域を認識し、それぞれ認識された画像領域の外部の表示領域に前記医用画像の関係情報の表示位置を計算し、該計算された表示位置に前記医用画像の関係情報を表示制御する中央処理部112を有する。【選択図】      図１
2007185215.tif 000002
【特許請求の範囲】
【請求項１】
医用画像診断装置によって計測された医用画像とその医用画像に関係する情報を表示する医用画像表示装置において、前記医用画像が複数得られた場合においてそれらの医用画像を順次表示するときのそれぞれの画像表示領域を認識する画像領域認識手段と、この画像領域認識手段によってそれぞれ認識された画像領域の外部の表示領域に前記医用画像の関係情報の表示位置を計算する表示位置計算手段と、この表示位置計算手段によって計算された表示位置に前記医用画像の関係情報と前記医用画像とを表示制御する表示制御手段と、を備えたことを特徴とする医用画像表示装置。
【請求項２】
前記表示制御手段は、前記関係情報の領域を基準に前記医用画像の画像領域を表示制御することを特徴とする請求項１に記載の医用画像表示装置。
【請求項３】
前記表示制御手段は、前記医用画像の画像領域を基準に前記関係情報の領域を表示制御することを特徴とする請求項１に記載の医用画像表示装置。
【請求項４】
前記表示制御手段は、前記医用画像に設定された関心領域を基準に前記関係情報の領域を表示制御することを特徴とする請求項１に記載の医用画像表示装置。
【請求項５】
前記表示制御手段は、任意設定された前記関係情報の領域の表示領域を基準に前記医用画像の画像領域を表示制御することを特徴とする請求項１に記載の医用画像表示装置。
【請求項６】
前記表示制御手段は、前記医用画像の画像領域の表示位置を基準にその画像領域を調整するように表示制御することを特徴とする請求項１に記載の医用画像表示装置。
【請求項７】
前記表示制御手段は、前記医用画像の画像領域の表示倍率を基準にその画像領域を調整するように表示制御することを特徴とする請求項１に記載の医用画像表示装置。
【発明の詳細な説明】
【技術分野】
【０００１】
本発明は、X線CT装置、MRI装置、超音波診断装置などの医用画像診断装置によって得られた医用画像を表示する医用画像表示装置に係り、特に医用画像とそれに関連する情報の表示領域を配置する技術に関するものである。
【背景技術】
【０００２】
従来、医用画像とその画像の性質や属性を示す付帯情報は、それらの重なりが回避されるように、調整されている。(例えば、特許文献1)
【特許文献１】特開2004-194704号公報
【発明の開示】
【発明が解決しようとする課題】
【０００３】
しかしながら、特許文献1では、操作者が画面を見て、画像とその付帯情報との重なりを回避するようにマウス等で操作しているので、その回避操作も省略したいとの要求に応えられるものでなかった。
【０００４】
本発明の目的は、医用画像とその付帯情報の重なりの確認操作を省略可能とする医用画像表示装置を提供することにある。
【課題を解決するための手段】
【０００５】
上記目的は、医用画像診断装置によって計測された医用画像とその医用画像に関係する情報を表示する医用画像表示装置において、前記医用画像が複数得られた場合においてそれらの医用画像を順次表示するときのそれぞれの画像表示領域を認識する画像領域認識手段と、この画像領域認識手段によってそれぞれ認識された画像領域の外部の表示領域に前記医用画像の関係情報の表示位置を計算する表示位置計算手段と、この表示位置計算手段によって計算された表示位置に前記医用画像の関係情報を表示制御する表示制御手段と、を備えたことによって達成される。
【発明の効果】
【０００６】
本発明は、操作者の手を煩わせることなく簡単に、医用画像とその付帯情報の重なりの確認操作を省略出来、操作性を向上できるという効果がある。
【発明を実施するための最良の形態】
【０００７】
本発明の医用画像表示装置の好適な実施形態について図面を用いて説明する。
図1は、本発明を採用する医用画像表示装置と医用画像診断装置をネットワークにより接続するシステム例を示すブロック図、図2は図1のシステムの入力、処理、出力を工程別に分類したフローチャートである。
【０００８】
医用画像表示装置110は、図1に示すように、入力部111と、入力部111と接続された中央処理部(CPU)112と、中央処理部112と接続された主記憶部113及び補助記憶部114と、中央処理部112と接続された出力部115を有している。
【０００９】
入力部111は、キーボードやマウス、トラックボールなど操作者が装置の制御パラメータの設定や医用画像と共に表示したい所望の文字情報などを入力する。中央処理部112は、入力部111によって入力された制御パラメータに基づき装置全体を制御する。主記憶部113は、X線装置、X線CT装置、MRI装置、超音波装置を含む医用画像診断装置100によって得られた診断画像(医用画像)や入力された文字情報を記憶する。補助記憶部114は別名を外部記憶装置と呼ぶものであり、一般に主記憶部113よりも大容量であるので、例えば医用画像のデータが膨大である場合に主記憶部113の補助的に用いるハードディスクなどである。出力部115は医用画像と文字情報を画像出力するものであり、CRTや液晶ディスプレイなどがある。
【００１０】
医用画像表示装置110は、医用画像診断装置100によって得られた医用画像がネットワーク101を通じて主記憶部113にデータ転送され、主記憶部113に記憶された医用画像を出力部115に表示される。
ここでは、医用画像表示装置110と医用画像診断装置100とを別体で説明するが、医用画像表示装置110が医用画像診断装置100内に内蔵された一体の場合もある。
また、ここでは、図示した画像のデータ転送はネットワーク経由で行われるが、所謂、オフラインで光磁気ディスク(MO)やDVD-RAMディスク等の記憶媒体を介して画像のデータ転送を行ってもよい。
【００１１】
医用画像表示装置110へのデータの入力、処理、出力の各工程は、図2を用いて説明する。
入力工程は、医用画像診断装置100からの医用画像120とその画像に関連する文字情報121をデータ入力する。文字情報121は、患者番号、患者名、撮影日、撮影条件、操作者が入力したコメント、画像解析処理を行った結果などの情報を入力部111から入力する。撮影日、時刻などはコンピュータ内蔵のクロックから取得してもよい。なお、この入力工程では、各データが医用画像診断装置100によって計測される前に予め入力されてもよい。
【００１２】
処理工程は、医用画像診断装置100によって得られた医用画像が表示されるための占有領域、すなわち画像領域を計算し、その計算された画像領域との重なりを回避した表示領域に文字情報等が表示されるように制御する。具体的には、中央処理部112のプログラムまたは電気回路によって構成される被検体領域判定部1221と表示位置計算部1222を有している。
【００１３】
被検体領域判定部1221は、被検体の部位の大きさによって被検体領域を判定する。表示位置計算部1222は判定された被検体の部位の大きさによりその画像への文字情報の重なりを回避するための計算を行う。
【００１４】
つまり、X線CT装置は被検体の体軸方向に連続して複数枚の断層像を得るのが通常であるので、被検体の部位によって大きさが異なることになるから、例えば被検体の部位で最大となる断層位置での大きさを認識し、その断層像の画像領域を求めておいて、その画像への文字情報の重なりを回避しておけば、その他の大きさの画像では画像と文字情報との重なりが必ず回避できることになる。
出力工程は、処理工程によって処理された結果、画像領域に医用画像が表示され、その画像領域の外部に文字情報が表示される。
【００１５】
次に、医用画像と文字情報の重なりを回避する原理について図3，4を用いて説明する。
図3は、画像中の被検体領域の下端の演算の原理を示す図、図4は医用画像と文字情報の重複量の演算の原理を示す図である。
【００１６】
中央処理部112は、図3のように画像中の被検体領域の下端300を算出する。この算出の原理は、X線CT装置の例で説明すると、空気は−1000というCT値にしてある。一方、被検体領域は肺の空気部分を除いては−1000以外のCT値となっているので、例えば閾値処理にて算出することができる。
【００１７】
中央処理部112は、図4のように、文字領域上端401と被検体領域下端300の位置関係を比較し、被検体領域下端300が文字領域上端401より図面下方に位置する場合は、重複量400だけ画像を上方へ移動させる。
これにより、被検体領域と文字領域との重なりを回避することができる。もちろん、相対的に被検体領域と文字領域の両領域の重なりが回避されればよいので、文字領域を移動させてもよいし、画像と文字両方を移動させてもよい。
【００１８】
さらに、中央処理部112が被検体領域310の下端のみならず、上端も算出しておけば、画像を上方へ移動させる際に、被検体領域310が表示フレーム420の外にはみ出ないかどうかを判断することもできる。
【００１９】
次に、両領域の重なり回避のための処理について図5，図6を用いてさらに詳細に説明する。
図5は被検体領域算出処理の手順を示すフローチャートである。
この処理は、被検体領域が1つの場合について説明である。2つの領域が写る場合、大きい領域を1つ残すようにしてもよい。
これは、寝台や患者につながっているチューブなどの被検体以外の領域を削除するために、最大面積領域だけを残すようにしているためである。
【００２０】
X線CT装置で撮影する部位は、大抵の場合、胴体や頭部断面なので、最大面積領域を1つ残せば必然的に被検体領域だけが残る。
ただし、下肢(両脚)を撮影する場合は、「最大面積領域を残す」よりも、「最大面積領域と比較して1/N以下の面積の領域を削除する(Nはたとえば10とか)」とした方がよい。この条件で被検体以外の領域を削除できる。
この場合、無理に被検体領域を1つに絞る必要はなく、要は被検体以外の領域を削除できれば十分でであるため、被検体の両脚のように被検体領域が2つ以上写っていても、処理上は被検体領域が1つの場合とまったく変わらない。
【００２１】
中央処理部112は被検体領域全体を抽出するように原画像を2値化する。CT画像の場合、CT値−400程度で2値化すればよい。また、しきい値は、抽出対象臓器の固有のCT値によって適宜変更してもよい。(ステップ501)
【００２２】
中央処理部112は、連続領域毎に異なる番号を付ける処理(ラベリング処理)を行う。アルゴリズムは次の文献に記載された一般的なアルゴリズムを用いる。(参考文献  画像処理の基本技法＜技法入門編＞  長谷川他共著  技術評論社  昭和61年初版  P.46〜49)(ステップ502)
【００２３】
中央処理部112は、ラベリングされた領域毎に画素数を計数する。(ステップ503)
中央処理部112は、ラベリングされた領域のうちの最大領域のみを残し、他の領域は削除する。(ステップ504)
中央処理部112は、図3のように、ラスター走査して被検体領域の下端座標を算出する。(ステップ505)
【００２４】
次に、表示位置計算処理について図6を用いて説明する。
図6は表示位置計算処理の手順を示すフローチャートである。
中央処理部112は、画像と文字の重複している距離(＝画素数)を計算する。ここで、文字を表示する座標は、通常プログラムの中で指定した位置に表示するので、既知である。よって、図4の重複量400のように、既知の文字表示座標とステップ505で求めた被検体領域下端座標との差が重複量となる。(ステップ601)
【００２５】
中央処理部112は、前ステップで算出された重複量だけ、画像を図面上方に平行移動する。ここでは、中央処理部112は、文字を移動してもよいし、画像と文字の両方を移動させてもよいし、表示フレームからはみ出さないように移動量を制限してもよい。(ステップ602)。
【００２６】
以下に、具体的な実施例を6例挙げる。
【実施例１】
【００２７】
実施例1は、医用画像中の被検体領域を認識し、被検体領域と文字の表示領域との重なりを判定し、重なる場合、重なり量から移動量を算出し、画像を移動させるという「文字優先、画像移動方式」である。
図7は、文字優先、画像移動方式の処理の手順を説明するフローチャートである。
【００２８】
中央処理部112は、処理対象画像(原画像)を補助記憶部114から主記憶部113に読み込む。(ステップ701)
中央処理部112は、読み込んだ処理対象画像から被検体領域を算出する。図5のステップ501からステップ504に示したとおり、ステップ701で読み込んだ原画像に対して、しきい値処理により2値化した画像を作り、さらに、最大面積領域のみを残すと、被検体領域が算出できる。(ステップ702)
【００２９】
中央処理部112は、ステップ702で得られた画像をラスター走査して、被検体領域の下端を求める。つまり、走査して行き当たった点が下端300(図3)である。(ステップ703)
中央処理部112は、文字を表示する座標が、プログラム中で指定されるので、既知である。従って、文字表示領域の上端の座標401(図4)と、被検体下端座標300とを比較して、
｛被検体下端座標３００値｝＞｛文字表示領域の上端の座標４０１値｝
ならば重複有りと判断できる。
【００３０】
また、重複量400は次式で計算できる。
重複量４００＝被検体下端３００−文字上端４０１
ここでの座標系は、表示画面の左上隅を原点、右方向にx(正)、下方向にy(正)とする。(ステップ704)
【００３１】
中央処理部112は、前ステップで重複有りならば、重複量400だけ画像を上方へ移動する。
画像の移動は次式で表される。
Ｘ＝ｘ＋ｘ０
Ｙ＝ｙ＋ｙ０
移動前の座標(ｘ，ｙ)
移動後の座標(Ｘ，Ｙ)
移動量  ｘ方向 に ｘ０, ｙ方向に ｙ０ 
この実施例1の場合、x0＝0, y0＝重複量400  である。
また、被検体領域の上端も求めておけば、移動により画像がフレーム201(図2)の上辺からはみ出すかどうかを判定可能なので、はみ出さない程度に移動量を制限することも可能である。(ステップ705)
【００３２】
中央処理部112は、文字情報を既定の位置へ表示する。(ステップ706)
これによって、医用画像と文字情報を同一画面に表示する場合に、文字情報を優先的に表示することができる。
【実施例２】
【００３３】
実施例2は画像中の被検体領域を認識し、被検体領域の下端を探索し、文字は下端より下に表示するという「画像優先文字表示方式」である。
図8は、画像優先文字表示方式の処理の手順を説明するフローチャートである。
【００３４】
ステップ801からステップ803は、図7のステップ701からステップ703と同じなので、説明を省略する。ここでは実施例1と相違するステップ804のみを説明する。
中央処理部112は、文字表示座標をステップ803で求めた下端点より下にして、文字情報を表示する。(ステップ804)
これによって、医用画像と文字情報を同一画面に表示する場合に、画像情報を優先的に表示することができる。
【実施例３】
【００３５】
実施例3は、画像を画面に表示し、画面上で操作者が関心領域を設定し、関心領域の下端を探索し、関心領域と文字表示領域との重なりを回避して表示するようにした「関心領域設定方式」である。
つまり、本実施例は、操作者が被検体の見たい部分(文字で隠されては困る領域)を指定して、その領域には文字表示は行わないようにする実施例である。
【００３６】
図9は、関心領域設定方式の処理の手順を説明するフローチャートである。
中央処理部112は、処理対象画像(原画像)を補助記憶部114から主記憶部113上に読み込んで出力部115に表示する。(ステップ901)
操作者は、出力部115の画面を見ながら、画像上に入力部111を用いて関心領域を設定する。関心領域は、文字のオーバーレイ表示を禁止する部分にマウスで円、矩形、閉曲線を描くような一般的な方法で設定する。関心領域のデータ保持形式は、マスク画像(関心領域内部を塗りつぶした2値画像)とするが、これに限らない。マスク画像以外では、関心領域が円の場合中心座標と半径、矩形の場合4隅の座標、閉曲線の場合  座標点の点列であってもよい。(ステップ902)
【００３７】
中央処理部112は、前ステップで設定されたマスク画像の下辺からラスター走査により関心領域下端を探す。(ステップ903)
中央処理部112は、前ステップで探された関心領域下端より下の領域を文字領域の表示領域とし、その表示領域に文字情報を表示する。(ステップ904)
これによって、医用画像と文字情報を同一画面に表示する場合に、設定された関心領域の画像情報を優先的に表示することができる。
【実施例４】
【００３８】
実施例4は、表示する文字情報の量に応じて、画像を縮小表示して文字との重なりを回避するもので、表示する文字情報量が多い場合、例えば画像の所見を示すレポート表示方式などに有用である。
レポートとは、つまり医師が他の医師へ患者を紹介する場合の説明用画像として画像にコメントを付与して保存、出力する用途を想定している。この場合、精査な読影を目的としていないので、縮小による画質劣化は問題にならない場合が多いので、縮小画像など任意の画像と文字の配置が可能となる。
【００３９】
図10は、画像縮小方式の処理の手順を説明するフローチャートである。
中央処理部112は、処理対象画像(原画像)を補助記憶部114から主記憶部113上に読み込んで出力部115に表示する。(ステップ1001)
中央処理部112は、読み込んだ処理対象画像から被検体領域を算出する。図5のステップ501からステップ504に示したとおり、ステップ1001で読み込んだ原画像に対して、しきい値処理により2値化した画像を作り、さらに、最大面積領域のみを残すと、被検体領域が算出できる。(ステップ1002)
【００４０】
中央処理部112は、被検体領域をラスター走査して、その領域上端と下端の座標を求め、これらの上端と下端の差を「被検体厚さd1」とする(ステップ1003)
操作者は、画面上の文字入力領域へ所望のテキスト(文字情報)を入力部111に入力する。中央処理部112は、入力されたテキストを即時に画面に表示する。また、操作者の入力部111の操作により、サイズ、表示位置を変更することも可能である。また、文字の表示領域の座標はそのテキスト入力を実行しているプログラムの引数が中央処理部112に判るようになっている。(ステップ1004)
【００４１】
中央処理部112は、被検体領域と文字領域の重複量d0を求める。(ステップ1005)
中央処理部112は、被検体厚さd1と重複量d0から、画像の縮小率を以下の計算式で計算する。
縮小率ｍ＝(ｄ１−２×ｄ０)÷ｄ１
(ステップ1006)
【００４２】
中央処理部112は、縮小した画像と文字情報を表示する。(ステップ1007)
これによって、医用画像と文字情報を同一画面に表示する場合に、設定された比較的文字数の多い文字領域(例えば、レポート表示領域)を画像情報に優先して表示することができる。
【実施例５】
【００４３】
実施例５は、被検体が画像表示フレーム(図2の201)に対して偏っている場合に、被検体領域をフレーム中央に移動させる「画像表示位置調整」方式である。この場合、文字情報の表示の有無を問わない。
【００４４】
図11は、画像表示位置調整方式の処理の手順を説明するフローチャートである。
中央処理部112は、処理対象画像(原画像)を補助記憶部114から主記憶部113に読み込む。(ステップ1101)
中央処理部112は、読み込んだ処理対象画像から被検体領域を算出する。図5のステップ501からステップ504に示したとおり、ステップ1101で読み込んだ原画像に対して、しきい値処理により2値化した画像を作り、さらに、最大面積領域のみを残すと、被検体領域が算出できる。(ステップ1102)
【００４５】
中央処理部112は、被検体領域の上下左右の端点をラスター走査により探索する。上端の探索は、左上隅を開始点とし、水平右方向へ、1ラインずつ下に走査する。下端の探索は、左下隅を開始点とし、水平右方向へ、1ラインずつ上に走査する。左端の探索は、左上隅を開始点とし、垂直下方向へ、1ラインずつ右に走査する。右端の探索は、右上隅を開始点とし、垂直下方向へ、1ラインずつ左に走査する。(ステップ1103)
中央処理部112は、被検体領域の水平方向および垂直方向の偏りを判定し、画像表示領域の移動量を算出する。
【００４６】
図12は、画像の水平方向の偏りの場合の例を示す図である。垂直方向も偏りの方向が図面の左右方向から上下方向へ変わるだけで、同様の考え方でよい。
まず、被検体領域の左端および右端とフレームとの距離をそれぞれa, bとする。(a＞b)
a＞bなので、画像が図面右方へ偏っているから画像領域の移動は左方向となる。被検体の両側のスペースを均等にするには、[(a−b)÷2]だけ画像を左方へ移動させるように移動量を演算する。(ステップ1104)
【００４７】
中央処理部112は、前のステップで求められた移動量だけ、画像を移動させる。(ステップ1105)
中央処理部112は、前のステップで移動された画像を表示する。(ステップ1106)
これによって、被検体領域をフレーム中央に移動させる画像表示位置調整ができる。
【実施例６】
【００４８】
実施例6は、被検体がフレームに対して小さい場合、フレームサイズに収まる範囲で拡大して表示する画像表示倍率調整方式の例である。なお、前処理として実施例5によって、被検体をフレーム中央に移動させてもよい。
【００４９】
図13は、画像表示倍率調整方式の処理の手順を説明するフローチャートである。
中央処理部112は、処理対象画像(原画像)を補助記憶部114から主記憶部113に読み込む。(ステップ1301)
中央処理部112は、読み込んだ処理対象画像から被検体領域を算出する。図5のステップ501からステップ504に示したとおり、ステップ1301で読み込んだ原画像に対して、しきい値処理により2値化した画像を作り、さらに、最大面積領域のみを残すと、被検体領域が算出できる。(ステップ1302)
【００５０】
中央処理部112は、被検体領域の上下左右の端点をラスター走査により探索する。上端の探索は、左上隅を開始点とし、水平右方向へ、1ラインずつ下に走査する。下端の探索は、左下隅を開始点とし、水平右方向へ、1ラインずつ上に走査する。左端の探索は、左上隅を開始点とし、垂直下方向へ、1ラインずつ右に走査する。右端の探索は、右上隅を開始点とし、垂直下方向へ、1ラインずつ左に走査する。(ステップ1303)
中央処理部112は、被検体領域の水平方向および垂直方向の偏りを判定し、画像表示領域の移動量を算出する。(ステップ1304)
【００５１】
中央処理部112は、被検体領域の端点から、図14に示される被検体領域の長さxa，yaをそれぞれ求める。図14は表示倍率調整の例を示す原理図である。画像のマトリックスサイズxb, ybは医用画像の撮影条件によって予め決まっているので、これらの比率から拡大率を求めることができる。
拡大率は、xb/xaとyb/yaのうち、フレームからはみ出さないようにするため、小さい方を採用することが望ましい。(ステップ1305)
【００５２】
中央処理部112は、ステップ1304で求められた被検体の偏り量にしたがって、画像を移動する。これにより被検体がフレーム中央に位置するようになる。(ステップ1306)
中央処理部112は、ステップ1305で求められた拡大率にしたがって、画像を拡大する。(ステップ1307）
中央処理部112は、拡大された画像を表示する。(ステップ1308)
これによって、被検体領域の画像表示倍率調整ができる。
【００５３】
本実施形態の医用画像表示装置110は、医用画像診断装置100によって計測された医用画像とその医用画像に関係する情報を表示するものであって、前記医用画像が複数得られた場合においてそれらの医用画像を順次表示するときのそれぞれの画像表示領域を認識し、それぞれ認識された画像領域の外部の表示領域に前記医用画像の関係情報の表示位置を計算し、該計算された表示位置に前記医用画像の関係情報を表示制御する中央処理部112を有する。
これによって、医用画像とその付帯情報の重なりの確認操作を省略できることとなる。
【００５４】
また、本実施形態では様々の実施例を説明したが、その実施例の組み合わせや種々の変形例は本発明に含まれるものである。
【図面の簡単な説明】
【００５５】
【図１】本発明を採用する医用画像表示装置と医用画像診断装置をネットワークにより接続するシステム例を示すブロック図。
【図２】図1のシステムの入力、処理、出力を工程別に分類したフローチャート。
【図３】画像中の被検体領域の下端の演算の原理を示す図。
【図４】医用画像と文字情報の重複量の演算の原理を示す図。
【図５】被検体領域算出処理の手順を示すフローチャート。
【図６】表示位置計算処理の手順を示すフローチャート。
【図７】文字優先、画像移動方式の処理の手順を説明するフローチャート。
【図８】画像優先文字表示方式の処理の手順を説明するフローチャート。
【図９】関心領域設定方式の処理の手順を説明するフローチャート。
【図１０】画像縮小方式の処理の手順を説明するフローチャート。
【図１１】画画像表示位置調整方式の処理の手順を説明するフローチャート。
【図１２】画像の水平方向の偏りの場合の例を示す図。
【図１３】画像表示倍率調整方式の処理の手順を説明するフローチャート。
【図１４】表示倍率調整の例を示す原理図。
【符号の説明】
【００５６】
100  医用画像診断装置
101  ネットワーク(イーサーネット)
110  医用画像表示装置
111  入力部(キーボード、マウス)
112  中央処理部（CPU)
113  主記憶部(メモリ)
114  補助記憶部(ハードディスク)
115  出力部(ディスプレイ装置)
120  医用画像(入力データ)
121  文字情報(入力データ)
122  医用画像表示部
1221  被検体領域判定部
1222  表示位置計算部
123  画面
200  画像データ
201  表示画面
202  画像中の被検体領域
210  文字情報
211  文字表示領域
300  被検体領域の下端
310  移動前の被検体表示位置
400  重複量
401  文字表示領域上端
410  移動後の被検体表示位置
420  表示フレーム
【図１】
2007185215.tif 000003
【図２】
2007185215.tif 000004
【図３】
2007185215.tif 000005
【図４】
2007185215.tif 000006
【図５】
2007185215.tif 000007
【図６】
2007185215.tif 000008
【図７】
2007185215.tif 000009
【図８】
2007185215.tif 000010
【図９】
2007185215.tif 000011
【図１０】
2007185215.tif 000012
【図１１】
2007185215.tif 000013
【図１２】
2007185215.tif 000014
【図１３】
2007185215.tif 000015
【図１４】
2007185215.tif 000016